(57)【要約】【課題】中間転写機構にフライホイールを取り付けることにより横黒スジを防止するとともに、中間転写ベルト交換時における保守性の低下を防止する画像形成装置を提供する。【解決手段】駆動ローラと、複数の従動ローラと、感光ドラムと、駆動ローラ及び複数の従動ローラに張架された中間転写ベルトと、感光ドラム上のトナー像を中間転写ベルトに転写する第１次転写部と、中間転写ベルト上のトナー像を用紙に転写する第２次転写部と、中間転写ベルトの速度変動を抑えるフライホイールとを備える中間転写機構を備えた画像形成装置であって、フライホイールは第１の嵌合部をさらに備え、複数の従動ローラのうち少なくとも１つの従動ローラは第２の嵌合部をさらに備え、第１の嵌合部と第２の嵌合部とを簡易に嵌合するワンタッチ機構によりフライホイールを従動ローラに着脱自在に取り付ける。【選択図】図４
2013190457.tif 000002
【特許請求の範囲】
【請求項１】
駆動ローラと、複数の従動ローラと、感光ドラムと、前記駆動ローラ及び前記複数の従動ローラに張架された中間転写ベルトと、前記感光ドラム上のトナー像を前記中間転写ベルトに転写する１次転写部と、前記中間転写ベルト上のトナー像を用紙に転写する２次転写部と、前記中間転写ベルトの速度変動を抑えるフライホイールとを備える中間転写機構を備えた画像形成装置であって、
前記フライホイールは、第１の嵌合部を備え、
前記複数の従動ローラのうち少なくとも１つの従動ローラは第２の嵌合部を備え、
前記第１の嵌合部と前記第２の嵌合部とを簡易に嵌合するワンタッチ機構により前記フライホイールを前記従動ローラに着脱自在に取り付けることを特徴とする画像形成装置。
【請求項２】
前記第１の嵌合部は断面所定形状の孔と第１の磁性体とを備え、
前記第２の嵌合部は前記第１の嵌合部に係る孔の内径と隙間なく嵌合される断面所定形状の軸と前記第１の磁性体と反対極の第２の磁性体とを備えることを特徴とする請求項１に記載の画像形成装置。
【請求項３】
前記第１の嵌合部は孔と該孔に垂直する溝とを備え、
前記第２の嵌合部は前記孔に嵌合される軸と、該軸に垂設され前記溝と係止される係止具と、前記軸に垂設され弾性機構を備えた係止具収納部とを備え、
前記係止具は前記弾性機構を介して外側に押されるように前記軸に保持され、前記弾性機構の収縮により前記軸の周面からはみださないように前記係止具収納部に収納されることを特徴とする請求項１に記載の画像形成装置。
【請求項４】
前記フライホイールを前記２次転写部に対向する従動ローラに取り付けることを特徴とする請求項２又は３に記載の画像形成装置。
【請求項５】
前記フライホイールを前記２次転写部の下流に配置された従動ローラに取り付けることを特徴とする請求項２又は３に記載の画像形成装置。
【請求項６】
前記フライホイールを前記１次転写部の上流に配置された従動ローラに取り付けることを特徴とする請求項２又は３に記載の画像形成装置。
【発明の詳細な説明】
【技術分野】
【０００１】
本発明は、中間転写方式を用いた画像形成装置に関する。
【背景技術】
【０００２】
中間転写方式を用いた画像形成装置において、トナー像を用紙に転写する第２の転写手段として転写ローラ方式を採用している機種が多い。この転写ローラ方式を用いた場合、用紙が２次転写部へ突入する際の衝撃によって生ずる横黒スジ（バンディング）という画質異常の問題が生じる。
【０００３】
この横黒すじの原因の一つとして、用紙の２次転写部への突入の際に、その衝撃によって中間転写ベルトに速度変動が生じることが考えられる。
【０００４】
特許文献１には、用紙の２次転写部突入による横黒スジの発生を防止する目的で、中間転写ベルトを架張している従動ローラにフライホイールを取り付けることで、ローラの慣性によって中間転写ベルトの速度変動を抑える方法が開示されている。なお、特許文献２には磁石により駆動系と着脱ユニット駆動系を係脱する構成が記載され、特許文献３には感光体ドラムとフライホイールを着脱する構成が記載されている。
【発明の概要】
【発明が解決しようとする課題】
【０００５】
特許文献１に記載されるようなフライホイールを取り付けることにより、横黒スジの発生を防止する対策をとった場合、一般的にフライホイールはネジ等で固定されるため取り外す際には工具が必要になり、フライホイールを簡単に取り外すことが困難である。
【０００６】
ここで、中間転写ベルトは、印刷動作時に感光ドラムやベルトクリーナブレード、転写ローラ等と常に接触しながら動作しているため、定期的な交換が必要である。その為、中間転写機構はマシン前部に引き出し可能な構成になっていることが多い。
【０００７】
しかし、例えば画像形成装置の手前側（メンテナンス側）に、フライホイールを取り付けた場合、フライホイールは大径の形状であることが多いため、中間転写ベルトを交換する際には、フライホイールを取り外すためネジを外すことが必要であり、従来に比べて保守性が悪いという問題がある。
【０００８】
そこで、本発明は、中間転写機構にフライホイールを取り付けることにより横黒スジを防止するとともに、中間転写ベルト交換時における保守性を向上させる画像形成装置を提供することを目的とする。
【課題を解決するための手段】
【０００９】
本発明は上記課題に鑑みてなされたものであり、駆動ローラと、複数の従動ローラと、感光ドラムと、駆動ローラ及び複数の従動ローラに張架された中間転写ベルトと、感光ドラム上のトナー像を中間転写ベルトに転写する第１次転写部と、中間転写ベルト上のトナー像を用紙に転写する第２次転写部と、中間転写ベルトの速度変動を抑えるフライホイールとを備える中間転写機構を備えた画像形成装置であって、フライホイールは第１の嵌合部を備え、複数の従動ローラのうち少なくとも１つの従動ローラは第２の嵌合部を備え、第１の嵌合部と第２の嵌合部とを簡易に嵌合するワンタッチ機構によりフライホイールを従動ローラに着脱自在に取り付けることを特徴とする。
【発明の効果】
【００１０】
フライホイールと従動ローラにそれぞれ係合部材を有し、フライホールが着脱可能に取り付けられていることにより、中間転写ベルトの交換作業の際、フライホイールを取り外すための特別な工具等を必要とせず簡単に取り外しを行うことができるので、横黒スジの発生を防止するとともに中間転写ベルト交換時の保守性を向上させることが可能となる。
【図面の簡単な説明】
【００１１】
【図１】本発明の実施形態の中間転写機構を備えた画像形成装置の概略断面図である。
【図２】本発明の実施形態の中間転写機構の構成を示す概略断面図である。
【図３】本発明の第１実施形態の中間転写機構にフライホイールを備えた構成を示した概略斜視図である。
【図４】本発明の第１実施形態の中間転写機構に係るフライホイール取付部を磁石を使用した構成について説明する図である。
【図５】本発明の第２実施形態の中間転写機構に係るフライホイール取付部にクイックリリース機構を使用した構成について説明する図である。
【図６】本発明の第２実施形態のフライホイールと従動ローラの嵌合の様子を説明する図である。
【図７】本発明の実施形態の中間転写機構に係るフライホイールを２次転写ローラに対向する従動ローラに取り付けた変形例を示す概略斜視図である。
【図８】本発明の実施形態のフライホイールを２次転写部の下流側に配置された従動ローラに取り付けた変形例を示す概略斜視図である。
【発明を実施するための形態】
【００１２】
本発明は、画像形成装置の中間転写機構に関し、以下の特徴を有する。すなわち、本発明は、感光ドラム上のトナー像を中間転写ベルト上に転写し（１次転写）、さらに中間転写ベルト上のトナー像を用紙に転写（２次転写）する中間転写機構を備え、中間転写機構の少なくとも１つの従動ローラにフライホイールが取り付けられる画像形成装置に関するものである。
【００１３】
さらに、本発明は、画像形成装置の中間転写機構に関し、フライホイールと従動ローラにそれぞれ嵌合部材を有し、フライホイールが従動ローラに着脱可能に取り付けられること（ワンタッチ機構）により、用紙が２次転写部に突入した際に発生する横黒スジを防止し、かつ中間転写ベルト交換時の保守性を向上することを特徴とする。
【００１４】
本発明の実施形態の画像形成装置１の概略構成について、図面を用いて以下詳細に説明する。図１は、本実施形態の中間転写機構１０（図２）を用いた画像形成装置１の側面図である。画像形成装置１は、各色に対応する現像ユニット（２Ｋ、２Ｃ、２Ｍ、２Ｙ）を中間転写ベルト１５上に配置し、その現像ユニットにより、中間転写ベルト１５上にカラー像を形成し、そのカラー像を用紙カセット２０から搬送される用紙Ｐに転写し、定着器３０において熱と圧力によりトナーを溶融定着してカラー画像を形成するものである。
【００１５】
現像ユニットとしては、黒色トナーを有する現像ユニット２Ｋ、シアン色トナーを有する現像ユニット２Ｃ、マゼンタ色トナーを有する現像ユニット２Ｍ、イエロー色トナーを有する現像ユニット２Ｙの４つのユニットがある。各現像ユニットは、トナーを貯めるトナーホッパ３、トナー層を形成し感光体ドラム６にトナーを接触させる現像ローラ５、感光体ドラム６上をクリーニングするドラムクリーナ９、感光体ドラム６上を帯電させる帯電器７（潜像形成装置）、感光体ドラム６上に静電潜像を書き込む露光器８（潜像形成装置）で構成される。図１では代表例として、黒色トナーを有する現像ユニット２Ｋを用いて詳細を説明したが、多色の現像ユニットも同様の構成を採用するため説明を省略する。
【００１６】
中間転写ベルト１５は、第１の従動ローラ１２ａ、第２の従動ローラ１２ｂ、第３の従動ローラ１２ｃ間に張架され、駆動ローラ１１により搬送される。第１の従動ローラ１２ａには、後述するフライホイール５１が取り付けられる。クリーニングブレード１７は、中間転写ベルト１５上の残留トナーを除去する。１次転写ローラ１４は、各色現像ユニットの感光体ドラム６に対向して中間転写ベルト１５の内側にそれぞれ配置される。
【００１７】
用紙搬送経路１３（記録体搬送装置）は、用紙Ｐを積載する用紙カセット２０から、ピックローラ１８、分離ローラ１９を経て、２次転写ローラ１６と中間転写ベルト１５の間を通過し、搬送ベルト２１から定着器３０へ至る。定着器３０は、バックアップローラ３４、弾性ローラ３３、加熱ローラ３２、定着ベルト３１を有する。定着ベルト３１は、弾性ローラ３３と加熱ローラ３２に掛け渡され、加熱ローラ３２あるいは他のローラの回転により搬送される。
【００１８】
用紙Ｐはバックアップローラ３４により弾性ローラ３３側に押し付けられる。加熱ローラ３２は、金属の中空シャフト内にハロゲンヒータ等の加熱手段を有し、定着ベルト３１を加熱する。弾性ローラ３３表面は、シリコンゴム等の弾性材で形成され、バックアップローラ３４の押し付けにより、ニップ部を弾性ローラ３３側に凸とし、用紙が定着ベルト３１に巻きつくのを防止する。
【００１９】
この画像形成装置１において画像を形成する場合、感光体ドラム６上を帯電器７で帯電させ、露光器８で画像に応じた光を照射して感光体ドラム６上に潜像を形成する。形成された潜像が感光体ドラム６の回転により、現像ローラ５に達し、トナー層と接して現像される。
【００２０】
感光体ドラム６上のトナー画像は、１次転写ローラ１４が中間転写ベルト１５を押し付ける部位（１次転写部）で中間転写ベルト１５上に転写される。各現像ユニットの感光体ドラム６上のトナー画像は中間転写ベルト１５上に転写され、カラーのトナー画像が形成される。そして、中間転写ベルト１５の搬送により、２次転写ローラ１６の部位（２次転写部）で搬送されてきた用紙Ｐ上にトナー画像は転写される。トナー画像が転写された用紙Ｐが、搬送ベルト２１により定着器３０に搬送され、熱と圧力によりトナーが溶融定着されカラー画像が用紙Ｐに形成される。
【００２１】
［第１実施形態］
本発明の第１実施形態の中間転写機構１０の全体構成について図２を用いて以下説明する。中間転写機構１０は、画像形成装置１内の略中心に配置され、中間転写ベルト１５と、中間転写ベルト１５を張架する複数のローラと、それらローラを回動可能に支持する一対のフレーム（不図示）により構成される。フレームの両端には、画像形成装置１の前部（紙面手前側）に引き出し可能なようにスライドレール（不図示）が取り付けられる。
【００２２】
中間転写ベルト１５は、感光ドラム６、２次転写ローラ１６、クリーニングブレード１７といった様々な部品と常時接触しながら搬送される為、磨耗により定期的な交換が必要である。例えば、中間転写機構１０を画像形成装置１の前部に引き出し中間転写ベルト１５を交換する。
【００２３】
次に中間転写機構１０の構成について説明する。中間転写ベルト１５は、第１の従動ローラ１２ａ、第２の従動ローラ１２ｂ、第３の従動ローラ１２ｃに張架され、駆動ローラ１１により図中右回り（や矢印方向Ａ）に搬送される。駆動ローラ１１には、駆動モータがギヤを介して接続される。第１の従動ローラ１２ａは、バネを介して水平方向に摺動可能に支持されており、第１の従動ローラ１２ａにより中間転写ベルト１５に適度なテンションが付与される。
【００２４】
第１の従動ローラ１２ａと駆動ローラ１１の間には、各色の感光ドラム６（６Ｙ、６Ｍ、６Ｃ、６Ｋ）が設置される。各感光ドラム６の下部には、各々、１次転写ローラ１４により中間転写ベルト１５が押圧され（１次転写部）、感光ドラム６上に形成されたトナー像が中間転写ベルト１５上に転写される。
【００２５】
第３の従動ローラ１２ｃに対向する位置に配された２次転写ローラ１６が、バネによって中間転写ベルト１５に圧接され（２次転写部）、中間転写ベルト１５上のトナー像が用紙Ｐに転写される。通常、２次転写ローラ１６と第３の従動ローラ１２ｃの間に用紙Ｐが突入すると、突入の衝撃が中間転写ベルト１５の搬送方向下流側に向かって伝達され、１次転写部で転写時の画像を乱すだけでなく、感光ドラム６を振動させて露光位置を変動させることによって画像を乱すことになる。
【００２６】
次に、中間転写機構１０に設けたフライホイール５１の具体的構成ついて図３を用いて以下説明する。本実施形態では、１次転写部の上流側（図の左側）に配された第１の従動ローラ１２ａの一端にフライホイール５１を取り付けることで、その慣性によって用紙突入の衝撃が１次転写部に伝わることを防止する。
【００２７】
前述したように、中間転写ベルト１５は様々な部品と接触しながら搬送される為、表面の磨耗により性能の低下が著しく、定期的な交換が必要である。交換作業の際には、中間転写機構１０を本体前側に引き出し、古い中間転写ベルト１５を取り外し、新しい中間転写ベルト１５を取り付ける必要がある。そのため、例えばフライホイール５１を図に示すような本体前側（画像形成装置のメンテナンス側であって、該装置の操作者・保守業者による保守作業側）に取り付けた場合、フライホイール５１を本体から取り外す必要がある。
【００２８】
中間転写ベルト１５は、一般的に６０μｍ程度の極めて薄いポリイミド製のフィルムにより構成され、非常に折れ易く、破損した場合にはその位置に転写不良などの画質異常が生じる。その為、中間転写ベルト１５の取り扱いには注意が必要であり、図に示す位置にフライホイール５１を取り付けた場合、中間転写ベルト１５の交換作業時に、フライホイール５１を従動ローラ１２から取り外す必要がある。
【００２９】
フライホイール５１の取付部（ワンタッチ機構）について図４を用いて以下具体的に説明する。ここで、ワンタッチ機構とは、一つの操作（１回の動作）でフライホイールと従動ローラを取り付けるための機構のことをいう。本実施形態では、フライホイール５１と、フライホイール５１を取り付ける従動ローラ１２（本体側）にそれぞれ嵌合部５１１（第１の嵌合部）、嵌合部５１２（第２の嵌合部）を設けた。図のように、フライホイール５１と従動ローラ１２の軸にそれぞれ磁石５１１１（例えば、Ｎ極の磁性体）、磁石５１２１（例えば、Ｓ極の磁性体）を設けて、磁力による接続を行う場合の実施形態について説明する。
【００３０】
特許文献２には、従来から磁石による吸着を利用して、駆動系と着脱ユニットの駆動系を係脱する構成が記載されている。しかし、特許文献２に記載の構成によっては、駆動系と着脱ユニットの駆動系との間に軸芯のずれが発生するおそれがある。そこで、本実施形態においては、フライホイール５１と従動ローラ１２の嵌合部を以下のように構成した。
【００３１】
嵌合部５１１の中心に孔５１１２を設け、孔５１１２がＤ字状に形成される。孔５１１２の内部にはＮ極またはＳ極いずれかの磁石５１１１が設けられる。嵌合部５１２は嵌合部５１１の孔５１１２と隙間なく嵌め込まれるように外周の寸法が規制されたシャフト形状であり、先端には、嵌合部５１１に設けられた磁石５１１１と逆磁性の磁石５１２１が設けられる。嵌合部５１２の外周はＤ字状に形成され、嵌合部５１１の孔５１１２に嵌め込むこと（一つの操作）で回転方向の位置ずれ（軸芯のずれ）防止の役割を担う。
【００３２】
なお、動作時のフライホイール５１の脱落防止の為、使用される磁石は磁力が強い方がよく、例えば、ネオジウム等を用いるのがよい。また、例えば鍵穴形状のような孔とシャフトが回転しないような形状であれば、他の形状を採用することも可能である。上記構成（ワンタッチ機構）により、特に工具等の必要もなく簡単にフライホイール５１を従動ローラ１２から取り外すことが可能となる。よって、中間転写ベルトの交換が容易になるなど保守性が向上する。
【００３３】
［第２実施形態］
本発明の第２実施形態の中間転写機構のフライホイール５２の取付部について図５および図６を用いて以下具体的に説明する。本実施形態においては、図のようにフライホイール５２を従動ローラ１２１に嵌合する手段として、クイックリリース機構を採用する。以下、クイックリリース機構（ワンタッチ機構）について詳説する。
【００３４】
特許文献３には、感光ドラムのドラム軸にフライホイールを連結・連結解除するための構成が記載されている。しかし、特許文献３に記載の連結・連結解除機構は、その構成が複雑である。そこで、本実施形態のフライホイール５２を従動ローラ１２１に嵌合する手段（クイックリリース機構）を以下のように構成した。
【００３５】
従動ローラ１２１側には、フライホイール５２の嵌合部５２１（第１の嵌合部）中心に設けた孔５２１１と嵌合されるローラ軸５２２（第２の嵌合部）に対して垂直に、ツメ５２２１と、ツメ５２２１を収納するツメ収納部５２２２を設ける。ツメ５２２１は、フライホイール５２に向かって傾斜した面と、直角の面（鉛直面）を有した矢印形状で形成され、ローラ軸５２２に圧縮バネ５２２３（弾性機構）を介して外側に押されるように保持される（図５の（ｂ）（ｃ）参照）。
【００３６】
フライホイール５２の嵌合部５２１の中心に設けた孔５２１１に対して垂直に、ツメ５２２１（係止具）を係止する溝５２１２を設ける（図５の（ａ）参照）。フライホイール５２を取り付ける際、まずツメ５２２１の傾斜面が孔５２１１の内周面に沿って押され（圧縮バネ５２２３が収縮し）、ローラ軸５２２内のツメ収納部５２２２に隠れる（図６の（ｂ）参照）。
【００３７】
ツメ５２２１が溝５２１２に届く位置にくると、ツメ５２２１が圧縮バネ５２２３により外側に押されて元の位置に戻り、ツメ５２２１の鉛直面が溝５２１２に引っかかる（係止される）。このため、フライホイール５２を手前に引いた場合も外れることはない（図６の（ａ）参照）。また、フライホイール５２を取り外す場合には、ツメ５２２１を従動ローラ１２１のツメ収納部５２２２に収納することで簡単にフライホイール５２を（矢印Ｂ方向に）取り外すことが可能である。
【００３８】
上記のクイックリリース機構（ワンタッチ機構）によれば、簡易な構成（一つの操作）でフライホイールを従動ローラから着脱することができるため、中間転写ベルトの交換が容易になる等、保守性が向上する。なお、弾性機構は、弾性を有する部材であれば圧縮バネに限定されない。
【００３９】
［変形例１］
次に、中間転写機構におけるフライホイールの取付位置に係る変形例１ついて図７を用いて以下具体的に説明する。図のように、変形例１においては、フライホイール５３を２次転写ローラ１６に対向する第３の従動ローラ１２ｃに取り付ける。
【００４０】
第１実施形態において、１次転写部の上流側に配された第１の従動ローラ１２ａにフライホイールを取り付けた場合と異なり、本変形例においては２次転写部に対向する第３の従動ローラ１２ｃにフライホイール５３を取り付けた。これにより、例えば第３の従動ローラ１２ｃのような位置（画像形成装置に係る２次転写部付近）にフライホイールを取り付けた場合でも、フライホイールの着脱による中間転写ベルトの交換作業などの保守が容易である。
【００４１】
［変形例２］
中間転写機構のフライホイールの取付位置に係る変形例２ついて図８を用いて以下具体的に説明する。図のように、本変形例においては、フライホイール５４を２次転写ローラ１６の下流側の第２の従動ローラ１２ｂに取り付ける。これにより、例えば第２の従動ローラ１２ｂのような位置（中間転写ベルトを外側から押圧することで中間転写ベルトにテンションをかける従動ローラ）にフライホイールを取り付けた場合でも、フライホイールの着脱による中間転写ベルトの交換作業などの保守が容易である。
【００４２】
本発明は、第１の嵌合部は断面所定形状の孔と第１の磁性体とを備え、第２の嵌合部は第１の嵌合部に係る孔の内径と隙間なく嵌合される断面所定形状の軸と第１の磁性体と反対極の第２の磁性体とを備えることを特徴としてもよい。これにより、特に工具等の必要もなく簡単にフライホイールを従動ローラから取り外すことができ、中間転写ベルトの交換が容易になる等、保守性が向上する。またフライホイールの回転方向の位置ずれを防止することができる。
【００４３】
本発明は、第１の嵌合部は孔と該孔に垂直する溝とを備え、前記第２の嵌合部は前記孔に嵌合される軸と、該軸に垂設され前記溝と係止される係止具と、前記軸に垂設され弾性機構を備えた係止具収納部とを備え、前記係止具は前記弾性機構を介して外側に押されるように前記軸に保持され、前記弾性機構の収縮により前記軸の周面からはみださないように前記係止具収納部に収納されることを特徴としてもよい。これにより、簡易な構成でフライホイールを従動ローラから着脱することができるため、中間転写ベルトの交換が容易になる等、保守性が向上する。
【００４４】
本発明は、フライホイールを２次転写部に対向する従動ローラに取り付けることを特徴としてもよい。これにより、画像形成装置に係る２次転写部付近にフライホイールを取り付けた場合でも、フライホイールの着脱による中間転写ベルトの交換作業などの保守が容易である。
【００４５】
本発明は、フライホイールを２次転写部の下流に配置された従動ローラに取り付けることを特徴としてもよい。これにより、中間転写ベルトを外側から押圧することで中間転写ベルトにテンションをかける従動ローラにフライホイールを取り付けた場合でも、フライホイールの着脱による中間転写ベルトの交換作業などの保守が容易である。
【００４６】
本発明は、フライホイールを１次転写部の上流に配置された従動ローラに取り付けることを特徴としてもよい。これにより、１次転写部の上流側に配置された従動ローラにフライホイールを取り付けた場合でも、フライホイールの着脱による中間転写ベルトの交換作業などの保守が容易である。
【００４７】
なお、上述する各実施の形態は、本発明の好適な実施の形態であり、本発明の要旨を逸脱しない範囲内において種々変更実施が可能である。
【符号の説明】
【００４８】
１    画像形成装置
６、６Ｙ、６Ｍ、６Ｃ、６Ｋ    感光ドラム
１０    中間転写機構
１１    駆動ローラ
１２、１２ａ、１２ｂ、１２ｃ、１２１    従動ローラ
１４    １次転写ローラ
１５    中間転写ベルト
１６    ２次転写ローラ
１７    クリーニングブレード
５１、５２、５３、５４    フライホイール
５１１、５２１    第１の嵌合部
５１２、５２２    第２の嵌合部
５１１１、５１２１    磁石
５１１２、５２１１    孔
５２１２    溝
５２２１    ツメ
５２２２    ツメ収納部
５２２３    圧縮バネ
【先行技術文献】
【特許文献】
【００４９】
【特許文献１】特開２００７−２６４２９２号公報
【特許文献２】特開２００１−２７２９００号公報
【特許文献３】特開平０８−２０２２０５号公報
【図１】
2013190457.tif 000003
【図２】
2013190457.tif 000004
【図３】
2013190457.tif 000005
【図４】
2013190457.tif 000006
【図５】
2013190457.tif 000007
【図６】
2013190457.tif 000008
【図７】
2013190457.tif 000009
【図８】
2013190457.tif 000010